【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  第一表面とこの第一表面に対向する第二表面を持つ媒体上にセキュリティマークを作る方法において、その方法が次の段階：
・  媒体の第一表面上へのワニスの高解像度印刷；
・  この媒体の電解による処理；
・  この媒体の洗浄と乾燥；
を含むことを特徴とする方法。
【請求項２】  媒体が印刷前に第一表面上を被覆されることを特徴とする請求項１に記載の方法。
【請求項３】  被覆が一つまたはそれ以上の金属、一つまたはそれ以上の酸化物、一つまたはそれ以上の金属塩またはメタロイドまたはこれらの混合物を含むことを特徴とする請求項２に記載の方法。
【請求項４】  被覆を沈着する前に中間分離層が沈着されることを特徴とする請求項１から３のいずれか一つに記載の方法。
【請求項５】  被覆を沈着する前にマイクロレリーフがスタンピングにより作られることを可能とするように中間層が沈着されることを特徴とする請求項１から４のいずれか一つに記載の方法。
【請求項６】  印刷が電気的絶縁ワニスを用いて実行されることを特徴とする請求項１から５のいずれか一つに記載の方法。
【請求項７】  ワニスが高分子、好ましくはセルロースの高分子及び／または金属及び／またはプラスチック及び／または真空蒸着プラスチックタイプであることを特徴とする請求項１から６のいずれか一つに記載の方法。
【請求項８】  ワニスが媒体の第一表面上にグラビアにより印刷されることを特徴とする請求項１から７のいずれか一つに記載の方法。
【請求項９】  ワニスの印刷後、材料の追加によるかまたはアブレーションによるかのいずれかにより、そのパターンを修正可能とする処理を行うことを特徴とする請求項８に記載の方法。
【請求項１０】  ワニスのアブレーションが局所的破壊により、好ましくはレーザー手段により実現されることを特徴とする請求項９に記載の方法。
【請求項１１】  ワニスが媒体の第一表面上にデジタル印刷により沈着されることを特徴とする請求項１から７のいずれか一つに記載の方法。
【請求項１２】  ワニスが充填物を含むことを特徴とする請求項１から１１のいずれか一つに記載の方法。
【請求項１３】  充填物がマイクロ小球体を含むことを特徴とする請求項１２に記載の方法。
【請求項１４】  マイクロ小球体がＤＮＡ分子を含むことを特徴とする請求項１２または１３に記載の方法。
【請求項１５】  マイクロ小球体の外表面が蛍光及び／またはりん光顔料粒子で覆われていることを特徴とする請求項１４に記載の方法。
【請求項１６】  被覆が被覆と陽極間で電解処理を受けさせられることを特徴とする請求項２から１３のいずれか一つに記載の方法。
【請求項１７】  陽極が折りたたまれたチタン板陽極であることを特徴とする請求項１６に記載の方法。
【請求項１８】  電解による媒体の処理が処理される媒体の金属被覆と水性電解液中に浸漬された陽極間の電解により実行されることを特徴とする請求項２から１７のいずれか一つに記載の方法。
【請求項１９】  水性電解液が無機酸とその塩または無機塩基とその塩、好ましくは１０重量％の濃度のＮａＯＨ＋ＮａＣｌを含むことを特徴とする請求項１８に記載の方法。
【請求項２０】  材料がワニス上に電解により沈着されることを特徴とする請求項１から１９のいずれか一つに記載の方法。
【請求項２１】  セキュリティマークがその第一表面により最終基板に接着されることを特徴とする請求項１から２０のいずれか一つに記載の方法。
【請求項２２】  媒体が除去され、もし適当なときは媒体と被覆が除去されることを特徴とする請求項２１に記載の方法。
【請求項２３】  セキュリティマークの製造のための設備において、それが媒体（ＢＡ１）を供給する供給ステーション（Ａ）、媒体（ＢＡ２）にモチーフを付与する印刷装置を持つ印刷ステーション（Ｂ）、この後の媒体の電解のための電解ステーション（Ｃ）、媒体の表面をきれいにする洗浄プラント（Ｄ）、乾燥ステーション（Ｅ）、検査ステーション（Ｆ）及び巻き取りステーション（Ｇ）を含むことを特徴とする設備。
【請求項２４】  印刷ステーション（Ｂ）がグラビア印刷ステーションであることを特徴とする請求項２３に記載の設備。
【請求項２５】  印刷ステーション（Ｂ）がデジタル印刷ステーションであることを特徴とする請求項２３に記載の設備。
【請求項２６】  電解ステーション（Ｃ）が電解液中に浸漬された不溶性電極を含むことを特徴とする請求項２３から２５のいずれか一つに記載の設備。
【請求項２７】  電解液が５から１５０ｇ／ｌ、好ましくは１００ｇ／ｌの濃度のＮａＯＨ＋ＮａＣｌのような塩とその塩基または関連した酸を含むことを特徴とする請求項２６に記載の設備。
【請求項２８】  電極端子を横切る電位差がＤＣであり、２Ｖから２１Ｖ、好ましくは６Ｖであることを特徴とする請求項２６または２７に記載の設備。
【請求項２９】  電極が三角形状の棒であり、その三角形の角の一つが媒体の方を向いていることを特徴とする請求項２３から２８のいずれか一つに記載の設備。
【請求項３０】  電解ステーション（Ｃ）が電解液中に浸漬された可溶性電極を含むことを特徴とする請求項２３から２９のいずれか一つに記載の設備。
【請求項３１】  電解液が５から１５０ｇ／ｌ、好ましくは１００ｇ／ｌの濃度のＣｕＣｌ２とＨＣｌのような塩とその塩基または関連した酸から構成されることを特徴とする請求項３０に記載の設備。
【請求項３２】  電極端子を横切る電位差がＤＣであり、５から３０Ｖ、好ましくは６Ｖであることを特徴とする請求項２３から２６のいずれか一つに記載の設備。
【請求項３３】  電極が滴形状を持つ棒であり、滴の先端が媒体の方を向いていることを特徴とする請求項２３から２７のいずれか一つに記載の設備。
【請求項３４】  セキュリティマークであって、それが次の層：
・  可視光に透明である材料から作られた媒体
・  この媒体の一表面に適用された被覆
・  この媒体の被覆領域の少なくとも一部を覆うワニス
を含み、更にこのワニスが肉眼で見ることのできないモチーフで媒体上に配置されていることを特徴とするマーク。
【請求項３５】  媒体がポリエステルフィルムであることを特徴とする請求項３４に記載のマーク。
【請求項３６】  被覆が一つまたはそれ以上の金属、一つまたはそれ以上の酸化物、一つまたはそれ以上の金属塩またはメタロイドを含むことを特徴とする請求項３４または３５のいずれかに記載のマーク。
【請求項３７】  被覆とワニス間に一つまたはそれ以上の中間層があることを特徴とする請求項３４から３６のいずれか一つに記載のマーク。
【請求項３８】  ワニスが充填されたワニスであることを特徴とする請求項３４から３７のいずれか一つに記載のマーク。
【請求項３９】  ワニスがマーカーで充填されたワニスであることを特徴とする請求項３８に記載のマーク。
【請求項４０】  マーカーがマイクロ小球体の形のマーカーであることを特徴とする請求項３９に記載のマーク。
【請求項４１】  マイクロ小球体がＤＮＡ鎖を含むことを特徴とする請求項４０に記載のマーク。
【請求項４２】  発蛍光団がマイクロ小球体に付着されていることを特徴とする請求項４０から４１のいずれか一つに記載のマーク。
【請求項４３】  偽造を困難とするために製品または対象物中に一体化されたセキュリティマークとしての請求項３４から４２のいずれか一つに記載のマークの使用。